(57)【要約】【課題】  光源のメンテナンスが容易となり、かつ、光源と光学系との相対位置がずれにくい測定装置を提供することを目的とする。【解決手段】  測定装置において、光源１０と、被検体を支持する被検体支持台２０と、光源１０から被検体に光を照射するための光学系３０と、光を被検体に照射することにより発生する音響波を受信する音響波受信部４０と、を有し、前記被検体に光を照射する際に、前記光源１０と前記光学系３０は前記被検体支持台２０から分離されている。【選択図】  図１
2011229621.tif 000002
【特許請求の範囲】
【請求項１】
光源と、
被検体を支持する被検体支持台と、
前記光源から前記被検体に光を照射するための光学系と、
前記光を前記被検体に照射することにより発生する音響波を受信する音響波受信部と、
を有し、
前記被検体に光を照射する際に、前記光源と前記光学系は前記被検体支持台から分離されていることを特徴とする測定装置。
【請求項２】
前記光源を支持する光源支持台を有し、前記被検体に光を照射する際に前記光源と前記光学系は前記光源支持台を介して互いに固定されていることを特徴とする請求項１に記載の測定装置。
【請求項３】
前記光源と前記光源支持台との間に前記光源が載置される光源載置板を有し、前記光源は前記光源載置板を介して前記光源支持台に支持され、前記光源載置板の前記光源支持台側の面には半球状の突起部が設けられていることを特徴とする請求項１又は２に記載の測定装置。
【請求項４】
前記光源と前記光学系が前記被検体支持台に覆われる状態と、前記光源と前記光学系とが互いの相対位置が固定されて前記被検体支持台から露出される状態と、を形成可能にする移動部を有することを特徴とする請求項１乃至３のいずれか１項に記載の測定装置。
【請求項５】
前記光源と前記光学系との相対位置関係を固定する位置固定部と、
前記位置固定部によって前記光源と前記光学系との相対位置が固定されて前記光源が前記被検体支持台に覆われる状態と、前記光源と前記光学系との相対位置がずらされて前記光源が前記被検体支持台から露出される状態と、を形成可能にする移動部と、
を有することを特徴とする請求項１乃至３のいずれか１項に記載の測定装置。
【請求項６】
前記被検体支持台と前記光源とを接触せずに互いの相対位置を決める位置決め部を有することを特徴とする請求項４又は５に記載の測定装置。
【発明の詳細な説明】
【技術分野】
【０００１】
本発明は、測定装置に関し、特に照射された光により被検体が発生する音響波を受信する測定装置に関するものである。
【背景技術】
【０００２】
レーザーなどの光源から被検体に照射した光を被検体内に伝播させ、被検体内の情報を得る光音響イメージング装置の研究が医療分野を中心に積極的に進められている。このような光音響イメージング技術の一つとして、特許文献１では、Ｐｈｏｔｏａｃｏｕｓｔｉｃ  Ｔｏｍｏｇｒａｐｈｙ（ＰＡＴ：光音響トモグラフィー）が提案されている。
【０００３】
ＰＡＴとは、光源から発生したパルス光を生体（被検体）に照射し、被検体内を伝播・拡散した光が被検体組織で吸収されて発生する音響波を受信し、受信した音響波を解析処理することで、被検体である生体内部の光学特性に関連した情報を取得する技術である。これにより、被検体内の光学特性値分布等の生体情報、特に、光エネルギー吸収密度分布を得ることができる。
【０００４】
特許文献１には、音響波を解析処理する装置として、被検体支持台の上に被検体を載せ、被検体支持台の内側にマイクロ波発生器やトランスデューサー等を配置する構成が開示されている。ＰＡＴを用いた測定装置において、特許文献１と同様な構成を採る場合に、マイクロ波発生器の代わりに光源を配置する構成によって、装置の設置床面積を小さくすることが可能となる。
【先行技術文献】
【特許文献】
【０００５】
【特許文献１】米国特許第７２６６４０７号明細書
【発明の概要】
【発明が解決しようとする課題】
【０００６】
光源から被検体に光を照射するためのプリズムやミラーなどの光学系を備える測定装置では、光源と光学系とが被検体支持台に固定されていると、以下ような課題が生じる。つまり、被検体支持台の上に被検体を載せると、被検体の重量で被検体支持台が歪んでしまい、光源と光学系との相対位置が設定位置からずれてしまう。この相対位置が設定位置からずれることによって、被検体上の所望の位置に光が照射されなかったり、照射される光のエネルギーが低下したりする。さらに、ずれた光源と光学系の相対位置を設定位置に戻すために時間がかかってしまう。
【０００７】
上記課題を鑑み、本発明では、光源と光学系との相対位置がずれにくい測定装置を提供することを目的とする。
【課題を解決するための手段】
【０００８】
上記目的を達成するために、本発明は、光源と、被検体を支持する被検体支持台と、前記光源から前記被検体に光を照射するための光学系と、前記光を前記被検体に照射することにより発生する音響波を受信する音響波受信部と、を有し、前記被検体に光を照射する際に、前記光源と前記光学系は前記被検体支持台から分離されていることを特徴とする測定装置である。
【発明の効果】
【０００９】
本発明によって、測定時に光源と光学系とが被検体支持台から分離されているので、光源と光学系との相対位置がずれにくい測定装置を得ることができる。
【図面の簡単な説明】
【００１０】
【図１】本発明の実施形態１に係る測定装置の一例を示す模式図
【図２】本発明の実施形態１に係る測定装置の光学系、音響波受信部の構成を示す模式図
【図３】本発明の実施形態１に係る測定装置の光源及び光源支持台を示す模式図
【図４】本発明の実施形態２に係る測定装置の一例を示す模式図
【発明を実施するための形態】
【００１１】
以下に本発明の実施の形態を図面に基づいて詳細に説明する。なお、本発明において、音響波とは、音波、超音波、光音響波と呼ばれるものを含み、被検体に近赤外線等の光（電磁波）を照射して被検体内部で発生する弾性波のことを示す。また、本発明の測定装置は、人や動物の悪性腫瘍や血管疾患などの診断や化学治療の経過観察などを主な目的とし、被検体の内部の生体情報を取得する装置である。よって、被検体としては生体、具体的には人体や動物が想定され、その一部、例えば乳房や指、手足などが診断の対象部位として想定される。被検体内部の光吸収体としては、被検体内で相対的に光吸収係数が高いものであり、例えば、人体が測定対象であれば酸化あるいは還元ヘモグロビンやそれらを含む多く含む血管、あるいは新生血管を多く含む悪性腫瘍が該当する。
【００１２】
（実施形態１）
図１は本発明の実施形態１に係る測定装置の構成を示す模式図である。本実施形態に係る測定装置は、光源１０と、被検体（不図示）を支持する被検体支持台２０と、光源１０から被検体に光を照射するための光学系３０と、光を被検体に照射することにより発生する音響波を受信する音響波受信部４０（図１（ｂ））と、を有している。そして、本発明は、被検体に光を照射する際に、光源１０と光学系３０は被検体支持台２０から分離されていることを特徴とする。このため、被検体を被検体支持台２０上に載せ、被検体の一部に光を照射する際に、被検体の重量による被検体支持台２０の歪みが、光源１０と光学系３０とに伝達せず、光源１０と光学系３０との相対位置が設定位置からずれることが低減される。なお、「分離」とは、光源と光学系との相対位置のずれを生じさせる振動が被検体支持台から伝わらない状態をいい、被検体支持台と、光源及び光学系とが接触していても、接触していなくてもよく、例えば、２つの部材がボルトなどで締結されていない状態をいう。さらに、測定装置は、光源１０と光学系３０が被検体支持台２０に覆われる状態と、光源１０と光学系３０が互いの相対位置を固定されて被検体支持台２０から露出される状態と、を形成可能にする移動部５０を有している。光源１０と光学系３０が被検体支持台２０に覆われる状態とは、図１（ａ）で示される状態であり、具体的には、光源１０と光学系３０が被検体支持台２０の下に配置される状態である。また、光源１０と光学系３０が互いの相対位置を固定されて被検体支持台２０から露出される状態とは、図１（ｂ）で示される状態であり、具体的には、光源１０と光学系３０とが一体となり、被検体支持台２０が図１（ａ）の状態からＸ方向に移動した状態である。図１（ａ）で示す状態を形成することで、装置の設置床面積を小さくすることができる。一方、図１（ｂ）のように、光源１０と光学系３０を互いの相対位置を固定して、被検体支持台２０を移動させることによって、光源１０と光学系３０を露出してメンテナンスが容易となり、さらに光源１０と光学系３０との相対位置がずれることが抑制される。
【００１３】
被検体支持台２０には、被検体の光が照射される一部分を測定装置内部に入れる開口部２１を有している。その開口部の下には、後述する２つの平板が配置され、測定時には平板によって被検体の一部が挟まれる構成となっている。
【００１４】
以下では、図１，２を用いてより具体的に本実施形態に係る測定装置に関して説明する。図２は光学系３０や音響波受信部４０の構成のより詳細な図である。光源１０は、被検体支持台２０とはボルト等によって締結されていない光源支持台１１の上に配置されている。さらに、この光源支持台１１の上には、被検体を挟む２つの平板６０を支持するための平板支持台６１が配置されている。この平板６０は、リニアガイド６２によってＺ方向に移動して被検体のＺ方向の厚さが十分薄くなるように被検体を挟むことにより、被検体の深部まで光が達するようになる。測定装置は、平板６０の移動を手動で行えるようにハンドル等を有していてもよい。平板６０と平板支持台６１は、リニアガイドベース６３によって連結され、平板６０、平板支持台６１及びリニアガイドベース６３は、被検体支持台２０とはボルト等によって締結されずに、分離されている。平板支持台６１の上には、さらに、光学系３０の一部とその光学系３０を移動させるための移動機構（キャリッジ）３１が配置されている。光学系３０及び光学系３０の移動機構３１は、被検体支持台２０とはボルト等によって締結されずに、分離されている。
【００１５】
また、測定時には平板６０には被検体の一部を保持する際の荷重がかかり、平板６０が変形する。この変形による音響波受信部４０と平板６０の間の間隙の大きさの変化を数百ミクロン以下に抑えたい。これは、間隙の大きさが大きく変化してしまうと、音響波受信部４０と平板６０が接触してしまい、音響波受信部４０の破損の原因になる。さらにこの間隙には、音響波の減衰を防ぐために音響インピーダンスのマッチングを目的としたマッチング剤が充填されている。充填方法としては、平板６０と音響波受信部４０の間の間隙を小さくする方法と音響波受信部４０の周辺に柔らかい素材で構成した土手（不図示）を設ける方法がある。いずれの方法においても、平板６０が大きく変形したり、傾いたりすると充填を維持できなくなる。充填を維持するためには、この間隙の大きさの変化は小さいほうが好ましい。そして、音響波受信部４０と平板６０は、共に平板支持台６１に支持されて、さらに平板支持台６１は剛性の高い光源支持台１１に固定されている構成となる。
【００１６】
上記のように、光源支持台１１に、光源１０、光学系３０及び光学系３０の移動に関する移動機構３１が配置され、それらが被検体支持台２０とは分離された構成となっている。このため、図１（ｂ）で示すように、容易に被検体支持台２０から光源１０と光学系３０とを露出される状態にすることが可能となる。このため、光源１０と光学系３０との相対位置をずらすことなく、光源１０が露出し、メンテナンスが容易になる。さらに、この構成により、被検体から受ける荷重によって被検体支持台２０が歪んで光源１０と光学系３０の相対位置がずれることが低減される。なお、光学系３０は光源１０の鉛直方向上に配置しない構成である。図１では、光源１０と光学系３０とは、被検体支持台２０の面内方向と垂直な方向（鉛直方向）とにずれているが、被検体支持台２０の面内方向にずれていればよく、鉛直方向にずれていなくてもよい。
【００１７】
さらに、測定装置は、音響波受信部４０が受信した音響波を解析するための処理部７０を有している。処理部７０は、図１で示すように被検体支持台２０の下に、被検体支持台２０と一体で設けられる。この構成であれば、測定装置の小型化が実現でき、さらに、被検体支持台２０を移動させると処理部７０も移動されるので、光源１０等が容易に露出されるので好ましい。ただし、処理部７０が容易に取り外し可能であるならば、被検体支持台２０から分離されて、光源支持台１１上に配置される構成であってもよい。
【００１８】
また、測定装置は、被検体支持台２０が移動する際に、被検体支持台２０が光源１０や光学系３０と干渉しないように構成されている。さらに、測定装置は、被検体支持台２０の側面に、光源が外部に漏れないようにカバー（不図示）を有している。このカバーも、光源１０や光学系３０と干渉しないように、側面の一面あるいは一部が、取り外し可能あるいは開閉可能な構成となっている。
【００１９】
図２を用いて音響波受信の動作を説明する。なお、被検体に光を照射して音響波を受信する際は、光源１０と光学系３０（光照射部３２を含む）は光源支持台１１を介して互いに固定されている。光源１０で発せられた光は、光学系３０によって光照射部３２（光学系３０の一部）に導かれる。そして、光照射部３２によって、平板６０を介して、平板６０の間に配置される被検体（不図示）の一部にその光が照射される。この照射された光を被検体内の光吸収体が吸収して熱膨張し、音響波が発生する。この音響波は平板６０を介して音響波受信部４０に受信される。音響波受信部４０は、この音響波を電気信号に変換する。電気信号は不図示の配線によって処理部７０に送られる。そして、処理部７０は電気信号を解析処理し、被検体内の光吸収分布等の生体情報を画像データとして収得し、それを表示装置（不図示）に表示する。この音響波受信する際は、光照射部３２と音響波受信部４０それぞれは、移動機構３１，４１によって、被検体の生体情報を得たい任意の位置に移動可能な構成となっている。より具体的には、移動機構３１，４１は、Ｘ，Ｙ方向に移動することができるので、光照射部３２と音響波受信部４０は移動することができる。移動機構３１，４１は処理部７０によって駆動される。さらに、光照射部３２と音響波受信部４０は互いに対向する位置、特にそれぞれの中心軸が同じになるように同期して移動する構成となっている。また、光照射部３２の移動に合わせて、光源１０からの光を光照射部３２に導くために光学系３０の一部も移動可能な構成となっている。なお、光照射及び光音響受信は、光照射部３２及び音響波受信部４０とを停止させた状態で行うことも可能であるし、移動させながら行うことも可能である。光照射及び光音響受信を光照射部３２及び音響波受信部４０の停止時に行う場合、測定位置が複数あると、光照射部３２及び音響波受信部４０が移動して位置を変え、さらにその測定位置で停止することを繰り返す。そのため、光照射部３２及び音響波受信部４０の移動時や停止時の振動が光源１０及び光学系３０の互いの相対位置をずらす可能性がある。そのため、その移動し始める時には緩やかに光照射部３２及び音響波受信部４０を移動させ、停止する時には緩やかに光照射部３２及び音響波受信部４０を停止させるようにすることが好ましい。なお、光照射部３２及び音響波受信部４０の移動時には等速度で移動させることが好ましい。また、光照射部３２及び音響波受信部４０が被検体に対して十分大きなものである場合には、移動させる必要がないので移動機構３１，４１を備える必要はない。
【００２０】
さらに、上述した光照射部３２とは別に光照射部３３（光学系３０の一部）を音響波受信部４０側に配置した構成であってもよい。この光照射部３３は音響波受信部４０と一体で移動されるように構成されるのが好ましい。この構成では、光照射部３３にも光源１０から光を導くための光学系３０を適宜配置する必要がある。光照射部３３から被検体に照射される光は、音響波受信部の中心軸に向かって斜め方向に照射されることが好ましい。さらに、被検体には光照射部３２と光照射部３３とから同時に光が照射されることが好ましい。なお、本発明においては、光照射部３２と光照射部３３のどちらか一方のみがある構成であってもよい。また光照射部は被検体に光を照射することができる位置に配置されれば、上述した配置でなくてもよい。例えば、平板６０によって挟まれる被検体の一部の下に配置する構成であってもよい。
【００２１】
図３（ａ）は本実施形態に係る測定装置の光源１０及び光源支持台１１の構成を示す図である。光源１０及び光学系３０の一部が光源支持台１１上に配置されている。光源は、例えば、ＹＡＧレーザー１２とチタンサファイア（ＴｉＳ）レーザー１３とから構成され、ＹＡＧレーザー１２によってＴｉＳレーザー１３を励起し、所望の波長のレーザー光を得る構成である。上記の光源１０の構成のように２つのレーザーからなる光源の場合、２つのレーザーの相対位置に求められる位置合わせの精度は非常に高い。従って、光源１０は、光源支持台１１の上に、以下で示す構成の光源載置板１４を介して設置される。光源載置板１４の構成は図３（ｂ）に示されている。光源載置板１４は位置決め開口部１５を有し、光源支持台１１は、その位置決め開口部１５に嵌るように設けられた位置決め突起部１６を有している。位置決め開口部１５と位置決め突起部１６によって、光源載置板１４は光源支持台１１の上に位置決めされて配置される。さらに、光源載置板１４の光源支持台１１と対向する面の一部には半球状の突起部１７が設けられ、光源載置板１４と光源支持台１１はボルト等によって締結されずに載置される構成となっている。この構成により、被検体の荷重による平板６０の歪みや光照射部３２，３３や音響波受信部４０等の移動による振動による応力が光源載置板１４に伝播して、さらには光源１０に伝播することを低減している。
【００２２】
以下に、本発明の測定装置の構成要素に関して説明する。
【００２３】
光源は、生体を構成する成分のうち特定の成分（例えばヘモグロビン）に吸収される特定の波長の光を照射するものである。具体的に、光の波長は４００ｎｍ以上１６００ｎｍ以下が好ましい。この場合、被検体表面（例えば、皮膚）で発生した音響波と被検体内部の光吸収体（例えば、ヘモグロビン）で発生した音響波を区別しやすくなるためである。光源としては５ナノ秒乃至５０ナノ秒のパルス光を発生可能な光源を少なくとも一つは備えている。光源としては大きな出力が得られるレーザーが好ましいが、レーザーのかわりに発光ダイオードなどを用いることも可能である。レーザーとしては、固体レーザー、ガスレーザー、色素レーザー、半導体レーザーなど様々なレーザーを使用することができる。特に、上述したＹＡＧレーザー、ＴｉＳレーザーが好ましい。また、波長依存性を有する光吸収係数値分布を測定するために、光源は単一波長の光のみ発振するものではなく、異なる波長を発振できるものを用いても良い。その場合の光源としては、発振する波長の変換可能な色素やＯＰＯ（Ｏｐｔｉｃａｌ  Ｐａｒａｍｅｔｒｉｃ  Ｏｓｃｉｌｌａｔｏｒｓ）を用いたレーザーなどが使用できる。
【００２４】
光学系は、例えば、光を反射するミラーや、光を集光したり拡大したり形状を変化させるレンズなどである。このような光学系は、ミラーやレンズ以外にも、光導波路などが挙げられ、光源から発せられた光を被検体に所望の形状で照射することができればどのようなものを用いてもよい。なお、光照射部はレンズや拡散板等で拡散させることにより、被検体の表面である程度の面積に広げるものが好ましい。
【００２５】
被検体支持台は、被検体を支持し、その上面の大きさは、被検体支持台に置かれる被検体を支持できる大きさを有していればよい。また、被検体支持台の材質は、被検体の重量によって歪みにくいものが望ましく、構成によって歪みにくくしてもよい。また、上述したように、被検体支持台の上面には、被検体の一部を入れる開口部が形成されている。前述したように、被検体支持台の側面には遮光用のカバーが取り付けられている。このカバーが取り外された際に、光源から光が照射されないように、カバーの有無を検知するセンサを設けるのが安全上よい。
【００２６】
音響波受信部は、音響波を受信して電気信号に変換する１つ以上の素子を有し、圧電現象を用いたトランスデューサー、光の共振を用いたトランスデューサー、容量の変化を用いたトランスデューサーなどで構成される。音響波を受信して電気信号に変換できるものであればどのような素子を用いてもよい。音響波を受信する素子は１次元又は２次元に複数配列することにより、同時に複数の場所で音響波を受信することができ、受信時間を短縮できると共に、被検体の振動などの影響を低減できる。なお、１つの素子を移動させることで、複数の素子を２次元あるいは１次元に配置したものと同様の信号を得ることも可能である。
【００２７】
移動部は、キャスターやスライドを用いることができ、被検体支持台あるいは光源支持台あるいはその両方を鉛直方向に垂直な方向に移動可能となるものであれば何でもよい。さらに、移動部が固定キャスターであれば、被検体支持台を鉛直方向に垂直な一方向に移動可能にするため、移動の前後での位置合わせを行いやすいので好ましい。移動部が被検体支持台に設けられる場合、被検体、処理部等の重量に耐えうる耐久性を有する必要がある。また、移動部は電気信号を受けて電動で駆動されてもよいし、ユーザーが移動部の移動可能な方向へ力を加えることで動くようにしてもよい。また、測定時には移動部が動かないように固定されることが好ましい。
【００２８】
処理部は、音響波の強さとその時間変化を記憶し、それを演算手段により、光学特性値分布のデータに変換できるものであればどのようなものでもよい。例えば、オシロスコープとオシロスコープに記憶されたデータを解析できるコンピュータなどを使用できる。また、処理部としてはワークステーションなどが用いられ、画像再構成（画像データを生成する）処理などがあらかじめプログラミングされたソフトウェアにより行われる。例えば、ワークステーションで使われるソフトウェアは、電気信号の増幅処理やノイズ低減処理を行う信号処理モジュールと、画像再構成を行う画像再構成モジュールとからなる。なお、ＰＡＴにおいては、通常、画像再構成前の前処理として、ノイズ低減処理などが各位置で受信された信号に対して行われるが、それらは信号処理モジュールで行われることが好ましい。また、画像再構成モジュールでは、画像再構成による画像データの形成が行われ、画像再構成アルゴリズムとして、例えば、トモグラフィー技術で通常に用いられるタイムドメインあるいはフーリエドメインでの逆投影などが適応される。
【００２９】
平板は被検体を保持する機能を有し、光を通過させるために光学的に透明な素材が使われる。典型的には、アクリルが用いられる。なお、音響波も通過させる必要がある場合には反射を抑えるために被検体との音響インピーダンス差が小さいものを用いることが好ましい。被検体が生体の場合、典型的にはポリメチルペンテンなどが使われる。厚みは保持によりプレートの変形が抑えられる強度を保てればどのような厚さでも良いが、典型的には１０ｍｍ程度である。
【００３０】
（実施形態２）
図４は本実施形態に係る測定装置を示す模式図である。本実施形態に係る測定装置は、実施形態１に係る測定装置と同様に、光源１０と、被検体支持台２０と、光学系３０と、音響波受信部（不図示）と、を有している。そして、本発明は、被検体に光を照射する際には、光源１０と光学系３０は被検体支持台２０から分離されている。さらに、測定装置は、光源１０と光学系３０との相対位置関係を固定する位置固定部８０，８１を有している。また、測定装置は、移動部５０を有している。移動部５０は、位置固定部８０，８１によって光源１０と光学系３０との相対位置が固定されて光源１０が被検体支持台２０に覆われる状態と、光源１０と光学系３０との相対位置がずらされて光源１０が被検体支持台２０から露出される状態と、を形成可能にする。
【００３１】
本実施形態は、被検体支持台２０上に設置されている部材で、平板支持台６１の直下に位置するもの（例えば、光学系３０の一部）にメンテナンスを行う場合に、メンテナンスを容易にすることができる。また、処理部７０と、音響波受信部４０や光照射部３２，３３の間には多くの配線で結線されており、この結線を解除してメンテナンスを行うことは、作業者にとって大きな負担になる。この場合には平板支持台６１とその上に固定されているものは、メンテナンス時に被検体支持台２０とともに取り除かれることが望ましい。
【００３２】
光源１０が被検体支持台２０に覆われる状態とは、図４（ａ）で示される状態であり、具体的には、光源１０が被検体支持台２０の下に配置される状態である。光源１０と光学系３０との相対位置がずらされて被検体支持台２０から露出される状態とは、図４（ｂ）で示される状態であり、具体的には、光学系３０の一部が被検体支持台２０と一体となり、被検体支持台２０が図４（ａ）の状態からＸ方向に移動した状態である。被検体支持台２０を移動させることによって、光源１０を露出してメンテナンスすることが容易となる。なお、第１の位置固定部８０は、光源支持台１１と被検体支持台２０に設けられ、第２の位置固定部８１は、光源支持台１１と平板支持台６１に設けられている。そして、図４（ｂ）で示す状態から図４（ａ）で示す状態にしても、位置固定部８０，８１によって光源支持台１１と平板支持台６１の互いの位置が固定されるので、光源１０と光学系の相対位置がずれること低減される。なお、本実施形態は実施形態１とは異なり、平板支持台６１と平板支持台６１の上部に配置される平板６０や光照射部、音響波受信部は被検体支持台２０と一体となり、光源支持台１１とは切り離されている。そして、ＰＡＴ測定時（被検体に光を照射する際）には、平板支持台６１、平板、光照射部、音響波受信部は、被検体支持台２０とは分離され、光源支持台１１に固定される。このため、被検体に光を照射する際には、光源１０と光学系３０は光源支持台１１を介して互いに固定される。このため、被検体を被検体支持台２０上に載せ、被検体の一部に光を照射する際に、被検体の重量による被検体支持台２０の歪みが、光源１０と光学系３０とに伝達せず、光源１０と光学系３０との相対位置が設定位置からずれることが低減される。
【００３３】
上述した効果を得るために、本実施形態の測定装置では、さらに、平板支持台６１を鉛直方向（Ｙ方向）に移動させるためのリフト機構６４を備えている。リフト機構６４は、例えばリフト可能なアームを有していて被検体支持台２０の梁に固定されている。そして、図４（ａ）のＰＡＴ測定時には平板支持台６１とは接触しないようにアームが縮んでいて、図４（ｂ）のように、メンテナンス時には、アームが伸びて平板支持台６１を持ち上げ構成となっている。このため、ＰＡＴ測定時には平板支持台６１とアームとは接触しないので、平板支持台６１は光源支持台１１にだけ固定され、被検体支持台２０とは分離された構成となる。そのため、上述した効果を得ることができる。そして、リフト機構６４によって平板支持台６１が持ち上げられた状態で被検体支持台２０を動かすことで、平板支持台６１の下にある光学系３０のメンテナンスが容易になる。なお、リフト機構６４は、機械式、油圧式、空圧式等いずれの構成でもよい。なお、平板支持台６１は切り離し可能な構成である。
【００３４】
位置固定部について図４（ｂ）を用いて説明する。第１の位置固定部８０は、被検体支持台２０に設けられた開口部と光源１０の位置決め用マークであり、これらを一致させることにより位置決めが行われる。具体的には、目視して位置決めマーク全体が開口部の中に入るように一致させる。このように第１の位置固定部８０は非接触で行い、位置決めの際に光源支持台１１に衝撃が加わるのを抑制している。第２の位置固定部８１は、平板支持台６１に設けられた開口部と光源支持台１１の支柱に設けられた位置決めピンで構成される。リフト機構６４によって、平板支持台６１が下へ降ろされる際に位置決めピンが開口部に差し込まれることで両者の相対位置が決められ固定される。また、第２の位置固定部は、開口部が光源支持台１１に設けられ、位置決めピンが平板支持台６１に設けられる構成であってもよい。
【００３５】
位置決めピンとしては、対となる開口部に差し込みやすいように先端部にテーパが設けられることが望ましい。テーパ部分の大きさは、被検体支持台と光源との目視によって位置決めをする際に想定されるずれ幅、具体的には１ｍｍ乃至２ｍｍよりも大きくするのが好ましい。
【符号の説明】
【００３６】
１０  光源
２０  被検体支持台
３０  光学系
４０  音響波受信部
５０  移動部
８０，８１  位置固定部
【図１】
2011229621.tif 000003
【図２】
2011229621.tif 000004
【図３】
2011229621.tif 000005
【図４】
2011229621.tif 000006